(57)【特許請求の範囲】
【請求項１】
火災時の被害拡大を防止するために設置された排煙口、給気口、排煙ダンパ、排煙窓、防火戸または防火垂れ壁である防災手段と、前記防災手段に作動信号を送信する無線式の操作手段と、前記防災手段に内蔵され作動信号を受けて前記防災手段を作動させるソレノイドと、前記ソレノイドに駆動電力を供給する電源及び前記防災手段を制御する制御回路を有する防災盤とを備えた防災システムにおいて、
前記操作手段と前記防災手段との間の信号の送受信を行う無線通信手段と、
前記無線通信手段を機能させる電源と、を設け、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災盤の電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うことを特徴とする防災システム。
【請求項２】
火災時の被害拡大を防止するために配置された排煙口、給気口、排煙ダンパ、排煙窓、防火戸または防火垂れ壁である防災手段と、前記防災手段に作動信号を送信する無線式の操作手段と、前記防災手段を制御する制御回路を有する防災盤とを備えた防災システムにおいて、
前記防災手段と前記防災盤との間の制御信号の送受信を行う無線通信手段と、
前記防災手段に内蔵され作動信号を受けて前記防災手段を作動させるソレノイドと、
前記防災手段に内蔵され前記ソレノイドに駆動電力を供給する電源と、
前記操作手段と前記防災手段との間の信号の送受信を行う無線通信手段と、
前記無線通信手段を機能させる電源と、を設け、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災手段に内蔵された前記電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うことを特徴とする防災システム。
【請求項３】
前記操作手段に、前記電源の残量を監視する残量表示手段を設けた請求項１または２記載の防災システム。
【請求項４】
前記操作手段に、前記操作手段と前記防災手段との間の送受信状態を監視する監視手段を設けた請求項１〜３のいずれかに記載の防災システム。
【請求項５】
火災時に発生する煙、熱の少なくとも一方を感知する煙・熱感知手段を前記防災手段に付設し、前記煙・熱感知手段からの感知信号に基づいて前記防災手段を平常状態に自己復帰させるリセット手段を前記防災手段に設けた１〜４のいずれかに記載の防災システム。
【請求項６】
火災時の被害拡大を防止するために設置された排煙口、給気口、排煙ダンパ、排煙窓、防火戸または防火垂れ壁である防災手段と、前記防災手段に電気配線を経由して作動信号を送信する操作手段と、前記防災手段に電気配線を経由して作動信号及び駆動電力を供給する制御回路及び電源を有する防災盤と、を備えた既設の防災システムに対して、
作動信号を受けて前記防災手段を作動させるソレノイドを内蔵した前記防災手段に無線通信手段を付加し、若しくは前記防災手段の作動手段を、作動信号を受けて前記防災手段を作動させるソレノイドを内蔵した無線通信手段付きの作動手段に交換し、
前記操作手段を、前記防災手段の無線通信手段と送受信可能な無線通信手段及び前記無線通信手段を機能させる電源を有する無線式の操作手段に交換し、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災手段に内蔵された前記電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うように構成することを特徴とする防災システム構築方法。
【請求項７】
前記防災盤に、前記防災手段の無線通信手段と送受信可能な無線通信手段を設け、前記防災手段に駆動電力を供給する電源を前記防災手段に設けることを特徴とする請求項６記載の防災システム構築方法。
【発明の詳細な説明】
【技術分野】
【０００１】
本発明は、各種建築物において火災が発生したときの被害拡大を防止するために設置される防災システム及び防災システム構築方法に関する。
【背景技術】
【０００２】
建築物や地下街などにおいて火災が発生したときの被害拡大を防止するための防災システムについては、従来、様々な方式が提案されているが、本発明に関連するものとして、火災発生時に操作ボックスを手動操作すると排煙口が作動する機構を備えたものがある（例えば、特許文献１，２参照。）。
【先行技術文献】
【特許文献】
【０００３】
【特許文献１】特開２００１−１１６３３１号公報
【特許文献２】実用新案登録第３０３０９１２号公報
【発明の概要】
【発明が解決しようとする課題】
【０００４】
特許文献１，２に記載された防災システムにおいては、排煙口、操作ボックス及び制御盤などは電気配線で連結され、操作信号の送受信及び駆動電流の供給などは全て電気配線を経由して行われている。
【０００５】
従って、特許文献１，２に記載された防災システムを新たな建築物に設置する場合には前述した電気配線を行うためのスペースを建築物内に確保する必要があり、電気配線工事にも多大な労力と資材とが費やされている。また、改修工事などの際に防災機器類の取り換えを行う場合にも、既設の電気配線の撤去及び新たな電気配線の施工に多大な労力と資材とが費やされている。
【０００６】
本発明が解決しようとする課題は、新たな施工や改修工事が容易であり、火災時の防災手段の作動確実性を高めることができる防災システムを提供することにある。
【課題を解決するための手段】
【０００７】
本発明の防災システムは、火災時の被害拡大を防止するために設置された排煙口、給気口、排煙ダンパ、排煙窓、防火戸または防火垂れ壁である防災手段と、前記防災手段に作動信号を送信する無線式の操作手段と、前記防災手段に内蔵され作動信号を受けて前記防災手段を作動させるソレノイドと、前記ソレノイドに駆動電力を供給する電源及び前記防災手段を制御する制御回路を有する防災盤とを備えた防災システムにおいて、
前記操作手段と前記防災手段との間の信号の送受信を行う無線通信手段と、
前記無線通信手段を機能させる電源と、を設け、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災盤の電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うことを特徴とする。
【０００８】
このような構成とすれば、前記操作手段と前記防災手段との間の電気配線が不要となるため、施工が容易となり、改修工事も容易となる。また、前記防災手段の作動が完了して前記操作手段へ送信された完了信号を前記操作手段が受信するまで前記作動信号が送信されるため、火災時の防災手段の作動確実性を高めることができる。なお、前記防災手段とは、火災時に発生する煙を排出するために設けられた排煙経路を開放する排煙口、建物内へ外気を取り込むための給気口、排煙ダンパ、排煙窓、あるいは、火災時に発生する煙の拡散経路を閉止したり、煙の流動を妨げたりする防火戸、防火垂れ壁などをいう。
【０００９】
また、本発明の防災システムは、火災時の被害拡大を防止するために配置された排煙口、給気口、排煙ダンパ、排煙窓、防火戸または防火垂れ壁である防災手段と、前記防災手段に作動信号を送信する無線式の操作手段と、前記防災手段を制御する制御回路を有する防災盤とを備えた防災システムにおいて、
前記防災手段と前記防災盤との間の制御信号の送受信を行う無線通信手段と、
前記防災手段に内蔵され作動信号を受けて前記防災手段を作動させるソレノイドと、
前記防災手段に内蔵され前記ソレノイドに駆動電力を供給する電源と、
前記操作手段と前記防災手段との間の信号の送受信を行う無線通信手段と、
前記無線通信手段を機能させる電源と、を設け、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災手段に内蔵された前記電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うことを特徴とする。
【００１０】
このような構成とすれば、前記操作手段と前記防災手段との間の電気配線が不要となるため、施工が容易となり、改修工事も容易となる。また、前記防災手段の作動が完了して前記操作手段へ送信された完了信号を前記操作手段が受信するまで前記作動信号が送信されるため、火災時の防災手段の作動確実性を高めることができる。また、前記防災盤と前記防災手段との間の電力配線及び信号配線も不要となるため、施工性及び改修工事の容易化に有効である。
【００１１】
ここで、前記操作手段に、前記電源の残量を監視する残量表示手段を設けることが望ましい。
【００１２】
このような構成とすれば、電源の残量不足による当該防災システムの作動不良を未然に防止することができる。
【００１３】
また、前記操作手段に、前記操作手段と前記防災手段との間の送受信状態を監視する監視手段を設けることが望ましい。
【００１４】
このような構成とすれば、操作手段と防災手段とが互いに送受信可能な領域内に位置すること、防災手段に異常が発生していないこと及び当該防災システムが正常に機能していることを常時確認することができる。また、操作手段と防災手段とが互いに送受信可能な領域内に配置されているか否かを確認することができるので、当該防災システムを新たに施工するとき、あるいは改修するときなどの作動確認作業が容易となる。
【００１５】
さらに、火災時に発生する煙、熱の少なくとも一方を感知する煙・熱感知手段を前記防災手段に付設し、前記煙・熱感知手段からの感知信号に基づいて前記防災手段を平常状態に自己復帰させるリセット手段を前記防災手段に設けることもできる。
【００１６】
このような構成とすれば、操作手段によって一旦作動した防災手段を前記リセット手段によって平常状態に自己復帰させることができるので、例えば、複数の区画にそれぞれ防災手段が設置されている建物で火災が発生したとき、避難者が闇雲に操作手段を操作したことによって発生する当該防災システムの不必要な作動を自動的に修復し、実際に火災が発生している区画の防災手段のみを確実に作動させることにより、火災発生区画における排煙風量の低下を防止することができる。
【００１７】
次に、本発明の防災システム構築方法は、火災時の被害拡大を防止するために設置された排煙口、給気口、排煙ダンパ、排煙窓、防火戸または防火垂れ壁である防災手段と、前記防災手段に電気配線を経由して作動信号を送信する操作手段と、前記防災手段に電気配線を経由して作動信号及び駆動電力を供給する制御回路及び電源を有する防災盤と、を備えた既設の防災システムに対して、
作動信号を受けて前記防災手段を作動させるソレノイドを内蔵した前記防災手段に無線通信手段を付加し、若しくは前記防災手段の作動手段を、作動信号を受けて前記防災手段を作動させるソレノイドを内蔵した無線通信手段付きの作動手段に交換し、
前記操作手段を、前記防災手段の無線通信手段と送受信可能な無線通信手段及び前記無線通信手段を機能させる電源を有する無線式の操作手段に交換し、
前記無線通信手段に、前記操作手段から送信された作動信号に基づく前記防災手段の作動が完了したとき前記操作手段へ完了信号を送信する返信機能と、前記操作手段が前記完了信号を受信するまで前記操作手段から前記防災手段へ前記作動信号を連続送信する連続送信機能と、を設け、
前記無線通信手段として、送信部及び受信部を有する伝送器を前記防災手段及び前記操作手段にそれぞれ設け、
手動操作により前記操作手段から前記防災手段に作動信号が送信されると、前記防災手段に内蔵された前記電源から前記防災手段のソレノイドに駆動電力が供給され、
前記駆動電力の供給中にもかかわらず前記防災手段が作動せず前記操作手段へ完了信号が送信されないとき、前記操作手段に設けられた作動表示灯が点滅し、前記操作手段が前記完了信号を受信するまで前記操作手段から前記防災手段へ前記作動信号のリトライ送信を行うように構成することを特徴とする。
【００１８】
このような構成とすれば、既設の防災システムを利用して容易に本発明に係る防災システムを構築することができる。
【００１９】
また、前記防災盤に、前記防災手段に新設された前記無線通信手段と送受信可能な無線通信手段を設け、前記防災手段に駆動電力を供給する電源を前記防災手段に設けることもできる。
【００２０】
このような構成とすれば、防災盤と防災手段との間の作動信号の送受信を行う電気配線も省略することができるため、工事の簡略化に有効である。
【発明の効果】
【００２１】
本発明により、新たな施工や改修工事が容易であり、火災時の防災手段の作動確実性を高めることができる防災システムを提供することができる。
【図面の簡単な説明】
【００２２】
【図１】本発明の第１実施形態である防災システムを示すブロック図である。
【図２】図１に示す防災システムを構成する操作ボックスの正面図である。
【図３】図１に示す防災システムの作動過程を示すフローチャートである。
【図４】図１に示す防災システムの作動過程を示すフローチャートである。
【図５】本発明の第２実施形態である防災システムを示すブロック図である。
【図６】本発明の第３実施形態である防災システムを示すブロック図である。
【図７】本発明の第４実施形態である防災システムを示すブロック図である。
【図８】本発明の第５実施形態である防災システムを示すブロック図である。
【図９】本発明の実施形態である防災システム構築方法の施工対象である排煙口を示す斜視図である。
【図１０】図１に示す排煙口における開閉器の取付構造を示す分解斜視図である。
【発明を実施するための形態】
【００２３】
以下、図面に基づいて、本発明の実施の形態について説明する。図１に示すように、本発明の第１実施形態である防災システム１０は、火災時の被害拡大を防止するために設置された防災手段である排煙口１１と、排煙口１１に作動信号を送信する操作手段である操作ボックス１２と、排煙口１１に駆動電力を供給する電源１３ａ及び排煙口１１を制御する制御回路１３ｂを有する防災盤１３と、を備え、操作ボックス１２と排煙口１１との間の信号の送受信を行う無線通信手段として、排煙口１１及び操作ボックス１２にそれぞれ伝送器１１ａ，１２ａが設けられている。
【００２４】
図１に示す防災システム１０は、煙・熱感知器１５が煙や熱を感知すると、その感知信号が電気配線１６を経由して防災盤１３の制御回路１３ｂへ送信され、防災盤１３の制御回路１３ｂから電気配線１４を経由して排煙口１１の制御回路１１ｄへ作動信号が送信され、排煙口１１が自動的に作動する機能を備えている。
【００２５】
操作ボックス１２には、伝送器１２ａを構成する送信部１２ｂ及び受信部１２ｃを制御する制御回路１２ｄと、制御回路１２ｄ及び伝送器１２ａを機能させる電源１２ｅ（リチウム電池）とが設けられている。
【００２６】
排煙口１１には、伝送器１１ａを構成する送信部１１ｂ及び受信部１１ｃの制御と、ソレノイド１１ｓ及びモータ１１ｍの制御とを行う制御回路１１ｄが設けられている。後述する作動操作などによって排煙口１１に作動信号が送信されるとソレノイド１１ｓが作動して排煙口１１に設けられている羽根板が開放され（例えば、図９の羽根板６３参照）、後述する復帰操作などによって排煙口１１に復帰信号が送信されるとモータ１１ｍが作動して開放中の前記羽根板が閉止状態に復帰する。また、排煙口１１内部に煙感知器１１ｆが配置され、煙感知器１１ｆは電気配線１１ｇを介して伝送器１１ａに接続されている。
【００２７】
排煙口１１の制御回路１１ｄと、防災盤１３の制御回路１３ｂとは電気配線１４によって接続され、防災盤１３と煙・熱感知器１５とは電気配線１６によって接続されている。防災盤１３において所定の手動操作することにより、排煙口１１を作動させたり、復帰させたりすることができ、排煙口１１の作動状態、復帰状態は防災盤１３及び操作ボックス１２に表示される。
【００２８】
排煙口１１の伝送器１１ａの送信部１１ｂには、操作ボックス１２から送信された作動信号に基づく排煙口１１の作動が完了したとき操作ボックス１２へ完了信号を送信する返信機能が設けられ、操作ボックス１２の伝送器１２ａの送信部１２ｂには、受信部１２ｃが前記完了信号を受信するまで前記作動信号を送信する連続送信機能が設けられている。
【００２９】
図２に示すように、操作ボックス１２には、火災発生時に押圧操作される押しボタン１２ｓと、作動表示灯１２ｆ及び通電表示灯１２ｇとが設けられている。平常時は、作動表示灯１２ｆが消灯し、通電表示灯１２ｇが点滅している。後述するように、排煙口１１が作動すると作動表示灯１２ｆが点灯し、伝送器１１ａ，１２ａ間の無線通信ができなくなると作動表示灯１２ｆが「０．５秒ＯＮ／３秒ＯＦＦ」の間隔で点滅し、電源１２ｅの残量が所定値以下になると作動表示灯１２ｆが「０．５秒ＯＮ／６秒ＯＦＦ」の間隔で点滅する。
【００３０】
図３に示すように、平常時は、操作ボックス１２の制御回路１２ｄが電源１２ｅの残量確認を行い（Ｓ３１）、その残量が所定値以上であれば、通電表示灯１２ｇが点滅し続ける（Ｓ３２）。一方、電源１２ｅの残量が所定値未満になると、操作ボックス１２の作動表示灯１２ｆが「０．５秒ＯＮ／６秒ＯＦＦ」の間隔で点滅する（Ｓ３３）ので、電源１２ｅの交換を行う（Ｓ３４）。電源１２ｅの交換が終わると、制御回路１２ｄが再び残量確認を行い（Ｓ３１）、残量が所定値以上であれば、通電表示灯１２ｇが点滅し始める（Ｓ３２）。
【００３１】
ここで、図１，図２及び図４を参照して、火災発生時の操作手順及び防災システム１０の作動過程について説明する。火災発生時に操作ボックス１２の押しボタン１２ｓが押圧操作されると（Ｓ４１）、制御回路１２ｄが機能して伝送器１２ａの送信部１２ｂから、排煙口１１の受信部１１ｃへ作動信号が送信される。排煙口１１の受信部１１ｃが前記作動信号を受信すると、制御回路１１ｄから電気配線１４を介して防災盤１３の制御回路１３ｂへ制御信号が送信され、防災盤１３の電源１３ａから制御回路１３ｂ及び電気配線１４を経由して制御回路１１ｄへ供給される駆動電流によりソレノイド１１ｓが作動して排煙口１１が作動する。
【００３２】
排煙口１１の作動が完了すると、送信部１１ｂから操作ボックス１２の受信部１２ｃへ完了信号が送信され、受信部１２ｃが前記完了信号を受信すると、送信部１２ｂから受信部１１ｃへ作動信号の送信が停止され、操作ボックス１２の作動表示灯１２ｆが点灯する（Ｓ４２）。これにより、排煙口１１が作動したこと、及び排煙機（図示せず）が起動したこと（Ｓ４３）を視認することができる。
【００３３】
一方、排煙口１１が作動せず、送信部１１ｂから受信部１２ｃへ完了信号が送信されないときは、操作ボックス１２の作動表示灯１２ｆが点滅し（Ｓ５４）、受信部１２ｃが完了信号を受信するまで、操作ボックス１２の送信部１２ｂから受信部１１ｃへの作動信号のリトライが行われる（Ｓ５５）。
【００３４】
また、排煙口１１の内部に設けられている煙感知器１１ｆが煙の有無を感知し（Ｓ４４）、煙感知器１１ｆの感知信号が排煙口１１の制御回路１１ｄに伝送されないときは（Ｓ４５）、排煙口１１が自己復帰する（Ｓ４６）。煙感知器１１ｆが煙を感知し、煙感知器１１ｆの感知信号が排煙口１１の制御回路１１ｄに伝送されている間は（Ｓ４７）、排煙口１１は作動し続け、開放保持される（Ｓ４８）。
【００３５】
火災鎮火を確認することができたら（Ｓ４９）、防災盤１３における手動操作で排煙機を停止し（Ｓ５０）、操作ボックス１２において押しボタン１２ｓを引くなどの復帰操作を行うと（Ｓ５１）、排煙口１１の復帰が完了する（Ｓ５２）。
【００３６】
前述したように、防災システム１０においては、操作ボックス１２と排煙口１１との間の電気配線が不要であるため、施工が容易であり、改修工事も容易である。また、排煙口１１の作動が完了し、排煙口１１の送信部１１ｂから操作ボックス１２へ送信された完了信号を操作ボックス１２の受信部１２ｃが受信するまで、送信部１２ｂから排煙口１１の受信部１１ｃへ作動信号が連続送信されるため、火災発生時の排煙口１１の作動確実性を高めることができる。
【００３７】
操作ボックス１２については、通電表示灯１２ｇをなくして、作動表示灯１２ｆのみを設けた構成とすることもできる。この場合、平常時は、作動表示灯１２ｆが消灯し、防災システム１０に異常（電源残量不足、排煙口異常、送受信異常など）が生じたとき、作動表示灯１２ｆが点滅するようにすることができる。また、暗がりでも操作ボックス１２の場所が視認できるような視認機能（例えば、ストロボ、夜光塗装など）を付加することもできる。
【００３８】
なお、操作ボックス１２における表示手段は前述した方式に限定しないので、例えば、操作ボックスの一部に液晶画面を設け、作動時は「作動」の文字を画面表示し、伝送不良などの異常時には「異常」の文字を画面表示し、電池残量は常に図形による画面表示（例えば、携帯電話の液晶画面の電池残量表示のようなもの）を行い、電池残量が少なくなると「電池交換」の文字を画面表示するような方式とすることもできる。
【００３９】
次に、図５に基づいて、本発明の第２実施形態である防災システム２０について説明する。なお、前述した防災システム１０の構成要件と共通する部分は図１と同じ符号を付して説明を省略する。
【００４０】
図５に示すように、防災システム２０においては、排煙口１１と防災盤１３との間の制御信号の送受信を行う無線通信手段として、防災盤１３に送信部１３ｃ及び受信部１３ｄが設けられている。また、排煙口１１の駆動電力を供給するための電源１１ｅが当該排煙口１１に設けられている。防災システム２０は、防災盤１３と排煙口１１との間の電気配線が不要であるため、施工が容易であり、改修工事も容易である。
【００４１】
次に、図６に基づいて、本発明の第３実施形態である防災システム３０について説明する。なお、前述した防災システム１０，２０の構成要件と共通する部分は図１，図５と同じ符号を付して説明を省略する。
【００４２】
図６に示すように、防災システム３０は、火災時の被害拡大を防止するために設置された防災手段である排煙口１１及び給気口１７と、給気口１７に作動信号を送信する操作手段である操作ボックス１２と、防災盤１３と、を備え、操作ボックス１２と給気口１７との間の信号の送受信を行う無線通信手段として、給気口１７及び操作ボックス１２にそれぞれ伝送器１７ａ，１２ａが設けられている。
【００４３】
図６に示す防災システム３０は、煙・熱感知器１５が煙や熱を感知すると、その感知信号が電気配線１６を経由して防災盤１３の制御回路１３ｂへ送信され、防災盤１３の制御回路１３ｂから電気配線１４を経由して排煙口１１の制御回路１１ｄ及び給気口１７の制御回路１７ｄへ作動信号が送信され、排煙口１１及び給気口１７が自動的に作動する機能を備えている。
【００４４】
給気口１７には、伝送器１７ａを構成する送信部１７ｂ及び受信部１７ｃの制御と、ソレノイド１７ｓ及びモータ１７ｍの制御とを行う制御回路１７ｄが設けられている。作動操作などによって給気口１７に作動信号が送信されるとソレノイド１７ｓが作動して給気口１７に設けられている羽根（図示せず）が開放され、復帰操作などによって給気口１７に復帰信号が送信されるとモータ１７ｍが作動して開放中の羽根（図示せず）は閉止状態に復帰する。
【００４５】
防災盤１３の制御回路１３ｂと排煙口１１の制御回路１１ｄとは電気配線１４で接続され、排煙口１１の制御回路１１ｄと給気口１７の制御回路１７ｄとは電気配線１８で接続されている。排煙口１１及び給気口１７を作動させたり、復帰させたりする電力は防災盤１３の電源１３ａから電気配線１４，１８を経由して排煙口１１及び給気口１７に供給される。
【００４６】
火災発生時、図２に示す操作ボックス１２の押しボタン１２ｓが押圧操作されると、制御回路１２ｄが機能して伝送器１２ａの送信部１２ｂから、給気口１７の受信部１７ｃへ作動信号が送信される。給気口１７の受信部１７ｃが前記作動信号を受信すると、制御回路１７ｄから電気配線１８、排煙口１１の制御回路１１ｄ及び電気配線１４を介して防災盤１３の制御回路１３ｂへ制御信号が送信され、防災盤１３の電源１３ａから供給される駆動電流によりソレノイド１１ｓ，１７ｓが作動して排煙口１１及び給気口１７が作動する。
【００４７】
排煙口１１及び給気口１７の作動が完了すると、送信部１７ｂから操作ボックス１２の受信部１２ｃへ完了信号が送信され、受信部１２ｃが前記完了信号を受信すると、送信部１２ｂから受信部１７ｃへ作動信号の送信が停止され、操作ボックス１２の正面パネルの作動表示灯１２ｆが点灯する。これにより、排煙口１１及び給気口１７が作動したことを視認することができる。
【００４８】
一方、排煙口１１及び給気口１７が作動せず、送信部１７ｂから受信部１２ｃへ完了信号が送信されないときは、受信部１２ｃが完了信号を受信するまで、送信部１２ｂから受信部１１ｃへ前記作動信号が連続して送信される。
【００４９】
また、図６に示すように、排煙口１１の制御回路１１ｄと給気口１７の制御回路１７ｄとが電気配線１８で接続されているため、排煙口１１と給気口１１のいずれかと操作ボックス１２と間に無線通信手段を設けることにより防災システム３０を構築することができる。
【００５０】
次に、図７に基づいて、本発明の第４実施形態である防災システム４０について説明する。なお、前述した防災システム１０，２０，３０の構成要件と共通する部分は図１，図５，図６と同じ符号を付して説明を省略する。
【００５１】
図７に示すように、防災システム４０は、排煙口１１及び給気口１７に作動信号を送信する操作ボックス１２と、防災盤１３と、を備え、操作ボックス１２と排煙口１１及び給気口１７との間の信号の送受信を行う無線通信手段として、排煙口１１、給気口１７及び操作ボックス１２にそれぞれ伝送器１１ａ，１７ａ，１２ａが設けられている。排煙口１１及び給気口１７にはそれぞれ電源１１ｅ，１７ｅが設けられている。また、防災盤１３と排煙口１１及び給気口１７との間の制御信号の送受信を行う無線通信手段として、防災盤１３に送信部１３ｃ及び受信部１３ｄが設けられている。
【００５２】
防災システム４０においては、操作ボックス１２と排煙口１１及び給気口１７との間の信号の送受信だけでなく、防災盤１３と排煙口１１及び給気口１７との間の信号の送受信も無線通信で行われるので、これらの機材間の電気配線が不要であり、施工及び改修工事も容易である。防災システム４０においては、排煙口１１及び給気口１７にそれぞれ電源１１ｅ，１７ｅが設けられているため、防災盤１３からの給電線などの配線が全く不要となる。また、排煙口１１及び給気口１７の両方とも作動して初めて完了信号が送信され、操作ボックス１２の作動表示灯１２ｆが点灯する構成となっているので、いずれか一方が作動しなければ作動表示灯１２ｆが点灯しないし、作動するまでリトライ信号が送信され続ける。
【００５３】
次に、図８に基づいて、本発明の第５実施形態である防災システム５０について説明する。なお、前述した防災システム１０，２０，３０，４０の構成要件と共通する部分は図１，図５，図６，図７と同じ符号を付して説明を省略する。
【００５４】
図８に示すように、防災システム５０においては、図７に示す防災システム４０と同様、操作ボックス１２と排煙口１１及び給気口１７との間の信号の送受信と、防災盤１３と排煙口１１及び給気口１７との間の信号の送受信と、が無線通信で行われる。また、排煙靴１１及び給気口１７の内部に煙感知器１１ｆ，１７ｆが配置され、それぞれ電気配線１１ｇ，１７ｇを介して伝送器１１ａ，１７ａに接続されている。
【００５５】
火災発生時、操作ボックス１２からの作動信号により排煙口１１、給気口１７が作動した後、予め設定された所定時間が経過した時点で煙感知器１１ｆ，１７ｆが排煙口１１内の煙を感知しないときは、排煙口１１、給気口１７が自動的に平常の閉止状態に自己復帰する。従って、火災発生時に避難者が闇雲に操作ボックス１２を操作して排煙口１１や給気口１７を作動させた場合、排煙口１１、給気口１７の煙感知器１１ｆ，１７ｆが煙を感知しなければ、排煙口１１、給気口１７が自己復帰するので、排煙口１１、給気口１７の不必要な作動を自動的に修復することができる。
【００５６】
また、排煙口１１、給気口１７が前記自己復帰機能を有することにより、建物内の複数の区画にそれぞれ防災手段（排煙口１１、給気口１７）が設置されている場合、実際に火災が発生している部分の防災手段（排煙口１１，給気口１７）のみを確実に作動させることができるため、火災発生区画における排煙風量の低下を防止することができる。
【００５７】
図８に示す防災システム５０においては、煙感知器１１ｆ，１７ｆが排煙口１１、給気口１７に内蔵され、排煙口１１、給気口１７自体が具備する煙感知機能により、不必要に作動したこれらの機器が自動的に自己復帰するので、複雑で大掛かりなシステムを構築する必要がない。また、火災発生時に避難者が闇雲に操作ボックス１２を操作して排煙口１１を作動させた場合でも、排煙口１１の煙感知器１１ｆが煙を感知しなければ、排煙口１１自体が自己復帰するので、複雑で大掛かりなシステムを組む必要がない。さらに、排煙口１１、給気口１７の両方とも作動して初めて完了信号が送信され、操作ボックス１２の作動表示灯１２ｆが点灯する構成となっているので、いずれか一方が作動しなければ作動表示灯１２ｆが点灯せず、作動するまでリトライ信号が送信し続けられる。
【００５８】
前述した防災システム１０，２０，３０，４０，５０においては、電源１１ｅ，１２ｅ，１３ｅ，１７ｅとしてリチウムイオン電池を採用しているが、これに限定するものではないので、充電式のバッテリーや太陽電池などを使用することもできる。
【００５９】
なお、前述した防災システムは新規施工によって構築することができるのは勿論であるが、本発明に係る防災システム構築方法を実施すること、即ち、既設の防災システムに無線通信手段などを付加すること（例えば、電気配線を利用した電気信号作動式の排煙口、給気口に伝送器を後付けし、操作ボックスを無線式に交換することなど）によって構築することもできる。この場合、排煙口、給気口の開閉器を伝送機能付きのものに交換し、操作ボックスを無線式に交換することにより、排煙口本体や給気口本体ごと交換しなくても、既設の防災システムの構成機材を利用して開閉器の交換だけで無線式の防災システムを構築することもできる。また、ワイヤー式であっても、防災盤からの遠隔操作ができるように信号線を結線するための端子台があるので、これを利用することで実現可能である。
【００６０】
ここで、図９，図１０を参照し、本発明に係る防災システム構築方法の施工対象である既設の防災システムを構成する排煙口について説明する。図９に示すように、既設の防災手段の一つである排煙口６０は、内部に空気の流路を形成するケース６１と、ケース６１内に設けられた開閉器６２と、ケース６１に回動自在に軸支され、空気の流路を開閉する羽根板６３とを備えている。排煙口６０の作動手段である開閉器６２は箱形状に形成され、後述する図１０に示すような取付構造を介して、ケース６１内の天井面に略中央位置に着脱可能に取り付けられている。
【００６１】
開閉器６２内には、ソレノイド、モータ及び自動巻取胴（図示せず）などが内蔵され、基端部が自動巻取胴に巻き込まれた状態で縦長孔７０から延設された索条７１の先端部が羽根板６３に係止されている。ケース６１内の中間高さの位置に横設された軸３６に、羽根板６３の背面側に固定された補強枠３８が軸支され、軸３６には、羽根板６３を常時水平方向に付勢回動させるための複数の付勢バネ４０が設けられている。
【００６２】
図１０に示すように、排煙口６０においては、開閉器６２の取り付け位置であるケース６１の天井面に取付部材８６が固定され、この取付部材８６は、開閉器６２の一部を着脱自在に係止する着脱部８０と、開閉器６２の他の部分を取付方向からの入力操作で固定する完全固定部９０とを備えている。取付部材８６は、矩形状の取付板９２の両側端に下方へ折曲された一対のＬ形板９４を有し、これらのＬ形板９４の一端寄り下面に着脱部８０としてのヘッド付きピン９６が固定され、他端に完全固定部９０としてのネジ孔９８が開口された受止片１００が垂下されている。
【００６３】
開閉器６２の両側面の上部寄り位置には、Ｌ形板９４に接合可能な一対の長板１０２が水平方向に突設され、これらの長板１０２の一端寄り位置にヘッド付ピン９６を係嵌するための瓢箪形のピン孔１０４が開口され、他端位置には受止片１００に接合するネジ孔１０５付きの係止片１０６が下方へ突設されている。
【００６４】
図１０に示す構成において、取付板９２をケース６１の天井面にビスなどで固定し、開閉器６２を下方から嵌合させ、Ｌ形板９４の下面に開閉器６２の長板１０２を接合しつつ、長板１０２のピン孔１０４にＬ形板９４のヘッド付ピン９６を嵌合させ受止片１００方向へ摺動させることによってピン孔１０４をヘッド付ピン９６に嵌係させる。この状態で係止片１０６を持ち上げて受止片１００の内面に接合させ、係止片１０６と受止片１００の相互に連通したネジ孔９８，１０５にネジ１０８を螺着させれば、開閉器６２をケース６１の開口端６４側から容易に固定することができる。また、前述した固定作業と逆の作業を行えば、開閉器６２をケース６１の開口端６４側から容易に取り外すことができる。
【００６５】
従って、図９に示す排煙口６０において、既設の開閉器６２を無線通信手段付きのもの（例えば、図１に示す伝送器１１ａ付きのもの）に交換し、既設の操作ボックス（図示せず）を無線通信手段付きの操作ボックス（例えば、図１，図２に示す操作ボックス１２）に交換すれば、排煙口６０本体ごと交換することなく、既設の防災システムの構成機材を利用して、容易に本発明に係る無線式の防災システムを構築することができる。
【００６６】
なお、図９，図１０に示す排煙口６０は、本発明に係る防災システム構築方法を実施可能な排煙口の一例を示すものであり、実施対象をこれに限定するものではないので、本発明に係る防災システム構築方法は、着脱可能な開閉器を有する既設の排煙口や給気口などの防災手段に対して広く実施することができる。
【産業上の利用可能性】
【００６７】
本発明は、大型建築物や地下街などにおける火災の被害拡大を防止するための防災設備として広く利用することができる。
【符号の説明】
【００６８】
１０，２０，３０，４０，５０  防災システム
１１，６０  排煙口
１１ａ，１２ａ，１７ａ  伝送器
１１ｂ，１２ｂ，１３ｃ，１７ｂ  送信部
１１ｃ，１２ｃ，１３ｄ，１７ｃ  受信部
１１ｄ，１２ｄ，１３ｂ，１７ｄ  制御回路
１１ｅ，１２ｅ，１３ａ，１７ｅ  電源
１１ｆ，１７ｆ  煙感知器
１１ｇ，１７ｇ，１４，１６，１８  電気配線
１１ｍ，１７ｍ  モータ
１１ｓ，１７ｓ  ソレノイド
１２  操作ボックス
１２ｆ  作動表示灯
１２ｇ  通電表示灯
１２ｓ  押しボタン
１３  防災盤
１５  煙・熱感知器
１７  給気口
３６  軸
３８  補強枠
４０  付勢バネ
６１  ケース
６２  開閉器
６３  羽根板
６４  開口端
７０  縦長孔
７１  索条
８０  着脱部
８６  取付部材
９０  完全固定部
９２  取付板
９４  Ｌ形板
９６  ヘッド付ピン
９８，１０５  ネジ孔
１００  受止片
１０２  長板
１０４  ピン孔
１０６  係止片
１０８  ネジ
【図１】
0006009150.tif 000002
【図２】
0006009150.tif 000003
【図３】
0006009150.tif 000004
【図４】
0006009150.tif 000005
【図５】
0006009150.tif 000006
【図６】
0006009150.tif 000007
【図７】
0006009150.tif 000008
【図８】
0006009150.tif 000009
【図９】
0006009150.tif 000010
【図１０】
0006009150.tif 000011